(57)【要約】      （修正有）【課題】従来の発煙信号と同様に昼夜を問わず遠方から光源を視認することができるとともに、特に、手に持って振ったとしても連続して光源を視認することが可能で、軽量で発煙信号に代わって使用することが可能であるばかりか比較的廉価な非常用信号灯を提供する。【解決手段】基端に握り部２が配置されているとともにその握り部２の先方に複数の発光ダイオードによる光源３１１ａ…３１１ｅが軸線方向に所定の間隔で並設した発光部を有して全体が棒状の非常信号灯であって、複数の光源３１１ａ…３１１ｅが各々の光軸を隣接する光源の光軸と軸線を中心として順次所定の放射角度だけずらした状態で基端から先端へと順に配置されている。【選択図】図１
0003151437.tif 000002
【実用新案登録請求の範囲】
【請求項１】
基端に握り部が配置されているとともにその握り部の先方に複数の発光ダイオードによる光源が軸線方向に所定の間隔で並設した発光部を有して全体が棒状の非常信号灯であって、前記複数の光源が各々の光軸を隣接する光源の光軸と軸線を中心として順次所定の放射角度だけずらした状態で基端から先端へと順に配置されていることを特徴とする発光ダイオードを用いた非常信号灯灯。
【請求項２】
前記発光部は前記握り部の先方に配置された筒状の発光ダイオードである光源を並設させた取付架台とその外周に被冠された透光製を有するカバー体とからなり、前記発光ダイオードである光源の取付架台は各光源毎に分割した分割架台が隣接する各分割架台と所定の周角度を以て積層配置されていることを特徴する請求項１に記載の非常用信号灯。
【請求項３】
前記分割架台は基端または先端の少なくとも一方に基端または先端において互いに隣接する分割架台との間に互いに嵌め込むことにより配置した光源の光軸が互いに所定の角度になるように配置される嵌合部を有している請求項２に記載の非常用信号灯。
【請求項４】
前記発光部の先端面に照射方向を指示する照射方向指示部材が配置されている請求項１，２または３に記載の非常用信号灯。
【請求項５】
前記光源が赤色であるとともに前方に集光レンズが配置されている請求項１，２，３または４に記載の非常用信号灯。
【考案の詳細な説明】
【技術分野】
【０００１】
本考案は、例えば交通事故等のような危険な状態を他の車両の運転手等に視覚を通じて知らせるために用いられる非常用信号灯に関するものである。
【背景技術】
【０００２】
従来、例えば鉄道運転規則には 予期しない箇所で特に列車を停止させる必要が生じたとき又は天候の状態その他の事由により信号の現示を識別することができないときに音、炎又は灯により信号を現示するものとする旨が規定されており（特殊信号）、その１つとして発炎信号（発煙筒）が知られている。
【０００３】
この発煙信号は火炎により列車を停止させるものであり、１４０〜１８０カンデラという光度を有することから夜間だけでなく日中においても２００ｍ先から視認でき、特に手に持って振ることにより更に視認性が向上するということからも例えばＪＲ・私鉄の運転手、踏切業務員等が常時携帯している。
【０００４】
ところが、発煙信号は原料に火薬を使用することから安全面のため重量のある安全鞄のようなケースに収容する必要があり、で携行に向いておらず、携行にはかなりの身体的な負担となっていた。さらに、発煙信号を手で持って利用すると、発生する火炎や煙やガスにより、火傷をしたり煙やガスを吸う危険性もある。
【０００５】
また、発煙信号は点火テストをすることができないので緊急時に使用できないという致命的な問題もある。
【０００６】
そこで、例えば特開平８−１１９０３５号公報（特許文献１）に、発煙信号に代わる非常信号灯が提示されている。
【０００７】
この非常信号灯は図５に示すように、筒状本体１Ａの下部に握り部２を形成し、この握り部２Ａ内に電池４Ａを組み込むと共にこの握り部２Ａに続いて形成した発光部３Ａ内に発光ダイオードからなる複数の発光源５Ａを軸線方向に所定の間隔を有して組み込み込んだものである。
【０００８】
このような従来の非常信号灯が考案された時点では光源となる発光ダイオードの輝度が低く、夜間に使用することが前提であったが、近頃、高輝度の発光ダイオードが開発されるに至り、夜間だけでなく日中にも視認することができるものとすることも考えられるが、高輝度の発光ダイオードは輝度が高い反面、照射角が狭くなりきわめて指向性が強いものなり、従来の発煙信号のように手で握って振ったり、走ったりした場合には照射軸が振れて視認者の視界からずれてしまい実用的でない。また、このような事態を解消するために光源を放射方向にも隙間なく並設することも考えられるが構造が複雑となり電気容量も増えるので大容量のバッテリも必要で全体として重量が増したり大型化となり、特に経済的に実現できないという問題がある。
【先行技術文献】
【特許文献】
【０００９】
【特許文献１】特開平８−１１９０３５号公報
【考案の概要】
【考案が解決しようとする課題】
【００１０】
本考案は前記従来の非常用信号灯の問題点を解決して前記発煙信号と同様に昼夜を問わず遠方から光源を視認することができるとともに、特に、手に持って振ったとしても連続して光源を視認することが可能で、軽量で発煙信号に代わって使用することが可能であるばかりか比較的廉価な非常信号灯を提供するものである。
【課題を解決するための手段】
【００１１】
前記課題を解決するためになされた本考案は、基端に握り部が配置されているとともにその握り部の先方に複数の発光ダイオードによる光源が軸線方向に所定の間隔で並設した発光部を有して全体が棒状の非常信号灯であって、前記複数の光源が各々の光軸を隣接する光源の光軸と軸線を中心として順次所定の放射角度だけずらした状態で基端から先端へと順に配置されていることを特徴とする。
【００１２】
本考案によれば軸線方向へ複数の発光源を所定の角度ずつずらして配置したので指向性の強い光源であっても前記ずらした角度の範囲に亘って照射角度が拡大したと同様の効果が生じ視認性を確保することができる。
【００１３】
また、本考案において、発光部を、前記握り部の先方に配置された筒状の発光ダイオードである光源を並設させた取付架台とその外周に被冠された透光製を有するカバー体とからなり、前記発光ダイオードである光源の取付架台は各光源毎に分割した分割架台が隣接する各分割架台と所定の周角度を有して積層配置されている場合には製造が容易である。
【００１４】
さらに、分割架台を基端または先端の少なくとも一方に基端または先端において互いに隣接する分割架台との間に互いに嵌め込むことにより配置した光源の光軸が互いに所定の角度になるように配置される嵌合部を有しているものとした場合には分割架台を順次嵌合させて積層するだけで各光源を所定の照射角度位置に配置させることができる。
【００１５】
さらにまた、発光部の先端面に照射方向を指示する照射方向指示部材が配置されている場合には確実に照射方向を視認者に向けて使用することができ、光源が赤色であるとともに前方に集光レンズが配置されている場合にはさらに光源の照射性能をあげることができる。
【考案の効果】
【００１６】
以上のように本考案である発光信号灯は、非常時に所定の距離を隔てても従来の発煙信号と同様な危険を知らせる機能を発揮させることができ、静止位置で使用することができることはいうまでもなく、特に、手で握って振りながら走っても危険を知らせることができる。また、火薬のような危険な物質を有していないことから安全であり、特殊なケースを用いなくても携行可能であることから軽量で携行にも適しており、いつでも機能のチェックが可能であって非常時に作動しないと事態にならず、廉価に提供することができるなどの諸効果を有するものである。
【図面の簡単な説明】
【００１７】
【図１】本考案の好ましい実施の形態における概略を示す斜視図である。
【図２】図１に示した実施の形態における発光部の分解斜視図である。
【図３】図１に示した実施の形態における概略を示す分解斜視図である。
【図４】図１に示した実施の形態に用いられる分割架台の分解斜視図である。
【図５】従来例を示す説明図である。
【考案を実施するための形態】
【００１８】
次に、本考案を実施するための形態について図面を参照して説明する。
【００１９】
図１は本考案の好ましい実施の形態の外観を示すものであり、本実施の形態である発光非常灯１は、基端に握り部２が配置されているとともにその握り部２の先方に発光部３を有して全体が棒状に形成されている。
【００２０】
握り部２には手で握ったままの状態で操作が可能なスイッチ釦２１が配置されており、発光部３の内部には後述の複数の光源が軸線方向（図の縦方向）に所定の間隔で配置されているとともに先端を閉止した筒状のカバー体３１に前記複数の光源位置に複数の透光性の透窓３１１ａ…３１１ｅがそれぞれ対応するように軸線方向に互いに隣接する同士が所定５ａ…５ｅの角度を有して順次形成されており、カバー体３１の先端面３１２には照射方向を指示する例えばシールなどにより形成された照射方向指示部材３１３が配置されている。尚、図中、符号２２は握り部２の基端に配置された開閉蓋であり例えば内蔵するバッテリの交換などの際に用いられる。
【００２１】
また、図２乃至図４は本実施の形態における握り部２、発光部３の内部構造を示すものであり、複数の光源４ａ…４ｅである発光ダイオードを軸線方向に所定の間隔で配置した発光部３と握り部２を有する点、並びに内部に前記光源を発光させる電源回路やスイッチ回路、バッテリ電源を用いる点については光源として発光ダイオード高輝度の発光ダイオードを用いた点を除き前記図５に示した従来例とほぼ同様な手段であり、詳細な説明については省略する。
【００２２】
即ち、本実施の形態についての主たる特徴は、複数の例えば赤色で高輝度型の発光ダイオードからなる光源４ａ…４ｅが各々の光軸を隣接する光源の光軸と軸線を中心として順次所定の放射角度だけずらした状態で基端から先端へと順に配置されている点が異なる。
【００２３】
さらに詳細に説明すると、本実施の形態は、発光部３が握り部２の先方に配置された筒状の取付架台５とその外周に被冠された前述の透光製を有するカバー体３１とからなり、特に発光ダイオードである光源４ａ…４ｅの取付架台５は各光源４ａ…４ｅ毎に分割した分割架台５ａ…５ｅを積層して構成されている。
【００２４】
図４は例えば分割架台５ｂについての一例を示すものであり、分割架台５ｂは全体が短尺の円筒状であり、径および高さは他の分割架台５ａ，５ｂ、５ｃ、５ｄとほぼ同一形状を呈し、内部に発光ダイオードからなる光源４ｂとその前面に集光レンズ７１ａを配置した所定形状の基板７ｂを開放部から差し込み、配置可能であり、前記集光レンズ７１ａが外周とほぼ同一面に露出するように形成されている。
【００２５】
また、分割架台５ｂの基端と先端とに形成された嵌合凹部６１ｂと嵌合凸部６２ｂとからなる嵌合部６１が形成されており、前記嵌合凹部６１ｂをその基端側に配置される分割架台５ａの先端に形成された嵌合凸部６２ａに、前記嵌合凹部６１ｂをその基端側に配置される分割架台５ｃの先端に形成された嵌合凸部５２ｂに嵌合させるとともに先端に形成される嵌合凸部６２ｂの先端側に配置される分割架台５ｃの基端に形成された嵌合凹部６１ｃに嵌合させて分割架台５ａ，５ｂ、５ｃを積層して固定することにより一体的な取付架台５が形成されており、互いに隣接する分割架台５ａ…５ｅに形成される嵌合部６１の位置が中心軸を中心として所定の角度ずつずらして形成されていることから各光源４ａ…４ｅを所定の照射角度で簡単且つ正確に配置することができる。
【００２６】
以上の構成を有する本実施の形態である非常信号灯１は、従来の発煙信号のように主として携行し、或いは車内や屋内、屋外などに設置しておき、非常時に使用するものであるが、スイッチ２１を操作するだけの簡単な操作で点灯することができる。また、いつでもスイッチ２１をオンオフ操作するという簡単な作業で点検することができる。
【００２７】
また、軽量で火薬などを原料として使用していないのでそのままの状態で或いは簡易なホルダなどに収容して携行することが可能であり、また、特別な保管も必要なく管理も簡単である。
【００２８】
そして、非常時には点灯して光源４ａ…４ｅ、即ち、筒状のカバー体３１透窓３１１ａ…３１１ｅを他の車両の運転者などに向けて照射することになるが、本実施の形態では例えば高輝度型発光ダイオードの光源４ａ…４ｅに加えて高性能の集光レンズ７１ａ…７１ｅとを用いたことにより、晴天の日中でも例えば８００ｍ先からの照射を視認することができた。
【００２９】
特に、本実施の形態では、５個の光源４ａ…４ｅを用いて、それらの互いに軸線方向へ隣接する各光源４ａ…４ｅの光軸を中心軸において約１５度ずつ順次ずらして配置したことにより、例えば使用者が本実施の形態である非常信号灯を握った手を肩幅程度に左右に振って走った場合にも連続して視認することができた。
【００３０】
尚、本実施の形態では全体の大きさや製造価格、バッテリの消耗、更には使用状態を勘案して５個の光源４ａ…４ｅを互いにほぼ１５度の角度で配置したが例えば視認距離や振る角度など使用環境や使用状態に合わせて使用する数や角度を適宜変更して使用することができる。
【００３１】
また、本実施の形態では、握り部２には通常の状態で握った際に親指で操作可能な位置にスイッチ釦２１が配置されており、その状態で正面側に光源４ａ…４ｅが向きそれらの光軸、特に軸線方向の中心に位置する光源（本実施の形態では光源４ｃ）の光軸が正面に配置されるので瞬時に適切な使用ができるものであり、特に、本実施の形態ではカバー体３１の先端面３１２に照射方向を指示する照射方向指示部材３１３が配置されているので間違いがない。加えて、本実施の形態ではカバー体３１の背面に例えば操作説明シール９などが配置されており、照射向きを間違える心配がない。勿論、全体の形状を異形として外観上に差異を設けても良い。
【符号の説明】
【００３２】
１  非常信号灯、２  握り部、３  発光部、４ａ…４ｅ  光源、５  取付架台、５ａ…５ｅ  分割架台、６  嵌合部、３１  カバー体、７１ａ…７１ｅ  集光レンズ、３１２  先端面、３１３  照射方向指示部材
【図１】
0003151437.tif 000003
【図２】
0003151437.tif 000004
【図３】
0003151437.tif 000005
【図４】
0003151437.tif 000006
【図５】
0003151437.tif 000007
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
基端に握り部が配置されているとともにその握り部の先方に複数の発光ダイオードによる光源が軸線方向に所定の間隔で並設した発光部を有して全体が棒状の非常信号灯であって、前記複数の光源が各々の光軸を隣接する光源の光軸と軸線を中心として順次所定の放射角度だけずらした状態で基端から先端へと順に配置されていることを特徴とする発光ダイオードを用いた非常用信号灯。
【請求項２】
前記発光部は前記握り部の先方に配置された筒状の発光ダイオードである光源を並設させた取付架台とその外周に被冠された透光製を有するカバー体とからなり、前記発光ダイオードである光源の取付架台は各光源毎に分割した分割架台が隣接する各分割架台と所定の周角度を以て積層配置されていることを特徴する請求項１に記載の非常用信号灯。
【請求項３】
前記分割架台は基端または先端の少なくとも一方に基端または先端において互いに隣接する分割架台との間に互いに嵌め込むことにより配置した光源の光軸が互いに所定の角度になるように配置される嵌合部を有している請求項２に記載の非常用信号灯。
【請求項４】
前記発光部の先端面に照射方向を指示する照射方向指示部材が配置されている請求項１，２または３に記載の非常用信号灯。
【請求項５】
前記光源が赤色であるとともに前方に集光レンズが配置されている請求項１，２，３または４に記載の非常用信号灯。